(57)【要約】      （修正有）【課題】積み重ね状態が安定し、且つ、径の異なったものを積み重ねることができ、持った場合に滑らない椀Ａを提供する。【解決手段】積み重ね可能な椀Ａであって、椀Ａの外周面に径の異なった複数の畝部が順次設けられており、該畝部は上方に至るほど径が大きく形成されている。最上畝部１と第２番目の畝部２の境界に落差が形成されており、第２番目から下方の畝部同士の境界は連続している。【選択図】図１
0003185011.tif 000002
【実用新案登録請求の範囲】
【請求項１】
積み重ね可能な椀であって、椀の外周面に径の異なった複数の畝部が順次設けられ、該畝部は上方に至るほど径が大きく形成され、最上畝部と第２番目の畝部との境界に落差が形成されていることを特徴とする椀。
【請求項２】
第２番目の畝部から下方の畝部同士の境界は突起した境界線が形成されていることを特徴とする請求項１記載の椀。
【請求項３】
２つの椀を重ね合わせた際に、下方の椀の最上畝部の内周壁面と上方の椀の第２番目の畝部の外周壁面との間に一定の間隙が生じるようになっていることを特徴とする請求項２記載の椀。
【請求項４】
畝部の外周壁面が内側にカーブしていることを特徴とする請求項３記載の椀。
【請求項５】
二つの椀を重ね合わせた状態で、上方の椀の底部と下方の椀の底内壁との間に一定の空間が確保されることを特徴とする請求項４記載の椀。
【請求項６】
積み重ね可能な椀であって、電子レンジ使用可能な飽和ポリエステル樹脂よりなり、椀の外周面に径の異なった複数の畝部が順次設けられ、該畝部は上方に至るほど径が大きく形成され、最上畝部と第２番目の畝部との境界に落差が形成されており、少なくとも第２番目の畝部から下方の畝部の外周壁面が内側にカーブしており、第２番目の畝部から下方の畝部同士の境界は突起した境界線が形成されており、二つの椀を重ね合わせた状態で、上方の椀の底部と下方の椀の底内壁との間に一定の空間が確保されることを特徴とする請求項１記載の椀。
【考案の詳細な説明】
【技術分野】
【０００１】
本考案は、飲料液を入れる椀に関し、更に詳しくは安定した積み重ねが容易にでき、重ねた状態で取り上げる場合にも吸着しない椀に関するものである。
【背景技術】
【０００２】
従来から、食事等において、汁物等を入れる椀が使用されている。
この椀は使用した後、かたづけて収納する場合には、通常、椀を複数個、積み重ねることによって収納する（特許文献１参照）。
しかし、多数、上に積み重ねると椀間に滑りが発生して、下側の椀に対して上側の椀が傾むく現象が生じる。
その結果、積み重ねた（積み上げた）状態の椀の軸心が振れて不安定になり、極端には倒れてしまう場合がある。
また、積み重ねた状態の上方の椀を取り上げる際に、椀が水で濡れているから、下方の椀が吸着して離れない場合がある。
【０００３】
一方、下側の椀の上縁が、上側の椀の上縁部外周面に形成された溝に収まるようにして積み上げの際の安定性を確保するよう工夫した椀セットが提供されている（特許文献２参照）。
【０００４】
しかし、径の異なったものを安定した状態で積み重ねるように対応したものではなく、水に濡れていると、取り上げる際に吸着する場合もある。
しかも、手に取って持ち上げた場合に、指が椀の外周壁面から滑って椀が落下することもある。
【先行技術文献】
【特許文献】
【０００５】
【特許文献１】実用新案登録第３１１５４２７号公報
【特許文献２】実用新案登録第３１７１０５２号公報
【考案の概要】
【考案が解決しようとする課題】
【０００６】
本考案はかかる実情を背景になされたものである。
すなわち、本考案の目的は、積み重ね状態が安定し、且つ径の異なったものでも積み重ね易く、また手に持った場合に滑り難い椀を提供することである。
【課題を解決するための手段】
【０００７】
以上のような背景のもとで、本考案者は鋭意工夫を重ねた結果、椀Ａの外周に径の異なった複数の畝部を設けることにより、従来の問題点を解決できることを見出し、その知見に基づき本考案を完成させたものである。
【０００８】
即ち、本考案は、（１）、積み重ね可能な椀であって、椀の外周面に径の異なった複数の畝部が順次設けられ、該畝部は上方に至るほど径が大きく形成され、最上畝部と第２番目の畝部との境界に落差が形成されている椀に存する。
【０００９】
また、本考案は、（２）、第２番目の畝部から下方の畝部同士の境界は突起した境界線が形成されている上記（１）記載の椀に存する。
【００１０】
また、本考案は、（３）、２つの椀を重ね合わせた際に、下方の椀の最上畝部の内周壁面と上方の椀の第２番目の畝部の外周壁面との間に一定の間隙が生じるようになっている上記（２）記載の椀に存する。
【００１１】
また、本考案は、（４）、畝部の外周壁面が内側にカーブしている上記（３）記載の椀に存する。
【００１２】
また、本考案は、（５）、二つの椀Ａを重ね合わせた状態で、上方の椀Ａの底部と下方の椀の底内壁との間に一定の空間が確保される上記（４）記載の椀に存する。
【００１３】
また、本考案は、（６）、積み重ね可能な椀であって、電子レンジ使用可能な飽和ポリエステル樹脂よりなり、椀の外周面に径の異なった複数の畝部が順次設けられ、該畝部は上方に至るほど径が大きく形成され、最上畝部と第２番目の畝部との境界に落差が形成されており、少なくとも第２番目の畝部から下方の畝部の外周壁面が内側にカーブしており、第２番目の畝部から下方の畝部同士の境界は突起した境界線が形成されており、二つの椀を重ね合わせた状態で、上方の椀の底部と下方の椀の底内壁との間に一定の空間が確保される上記（１）記載の椀に存する。
【００１４】
なお本考案の目的に添ったものであれば上記（１）〜（６）までの考案を適宜組み合わせた構成も採用可能である。
【考案の効果】
【００１５】
本考案の椀Ａは、積み重ね可能な椀Ａであって、椀Ａの外周面に径の異なった複数の畝部が順次設けられ、該畝部は上方に至るほど径が大きく形成され、最上畝部１と第２番目の畝部との境界に段差が形成されているので、積み重ね状態が安定し、且つ径の異なったものを積み重ねることができる。
しかも、重ねた場合にも吸着することがなく、更に持った場合に滑りにくい。
また上の椀Ａを外す時に、この畝部のところに指が引っかかって操作がし易い。
下方の椀Ａの上端部に対して上方の椀Ａが畝部の落差の部分で支持された状態となる。
【００１６】
第２番目の畝部２から下方の畝部同士の境界は突起した境界線が形成されているので、この線状の境界線を起点に上下で畝部の角度が異なり、重ねた椀間に間隙が生じるので互いに吸着しにくい。
また、椀を持ち上げた場合、指が該突起した境界線で支えられて滑らない。
また、上方の椀が傾こうとしても、この突起した境界線Ｌが支障となって傾きにくい。
【００１７】
本考案の椀Ａは、２つの椀Ａを重ね合わせた際に、下方の椀Ａの最上畝部１の内周壁面と上方の椀Ａの第２番目の畝部２の外周壁面との間に一定の間隙が生じるようになっているので、下方の椀Ａの最上畝部１と上方の椀Ａの第２番目の畝部２とは全てが接触することはなく、椀Ａが水で濡れていたとしても、両者が相互に吸着し合わない。
【００１８】
また畝部の外周壁面が内側にカーブしてカーブ面を形成していることにより、椀を持ち上げた場合、指の腹が該カーブＫに馴染むため、確実に把持でき指が滑らない。
【００１９】
本考案の椀Ａは、同じ物同士を二つ重ね合わせても、上方の椀Ａの底突出部と下方の椀Ａの内周壁部の底との間に一定の空間が確保されるようになっているので、上方の椀Ａのリング状に突起した支持底部と下方の椀Ａの底内壁とが接触することがなく、上方の椀Ａの底突出部の汚れが、下方の椀Ａの内周壁部の底に付着しない。
支持底部の汚れが底内壁に付着するようなことはない。
【図面の簡単な説明】
【００２０】
【図１】図１は、本考案の椀Ａを示す斜視図である。
【図２】図２は、本考案の椀Ａを示す側面図である。
【図３】図３は、本考案の椀Ａを示す平面図である。
【図４】図４は、本考案の椀Ａを示す底面図である。
【図５】図５は、本考案の椀Ａを示す断面図である。
【図６】図６は、同じ形状の２つの椀Ａを重ね合わせた状態を示す断面図である。
【図７】図７は、同じ大きさで同じ形状の３つの椀Ａを重ね合わせた状態を示す断面図である。
【図８】図８は、大きさの異なった椀を重ね合わせた状態を示す断面図である。
【図９】図９は、大きさの異なった更に小さい椀を重ね合わせた状態を示す断面図である
【考案を実施するための形態】
【００２１】
（第１の実施形態）
以下、図面に基づき考案の実施における最適な例を示す。
図１は、本考案の椀Ａを示した斜視図、図２は、本考案の椀Ａを示す側面図、図３は、本考案の椀Ａを示す平面図、図４は、本考案の椀Ａを示す底面図及び図５は、本考案の椀Ａを示す断面図である。
【００２２】
本考案の椀Ａは、味噌汁等の液体、或いはご飯等の固形物を入れるのに使用するものであリ、カップ状の形状のものであれば含まれる。
そして椀Ａは、上広がりに形成されており、多数個、積み重ねが可能となっている。
椀Ａの内周壁面は半円球状の曲面で、また椀Ａの外周壁面には径の異なった複数の畝部が階段状のごとく設けられている。
そしてこの畝部は、椀Ａの底部から上方に至るほど径が大きく形成されており、個々の畝部は、僅かな傾斜面に形成されている。
【００２３】
しかも、畝部の表面（すなわち畝部の外周壁面）は内側にカーブしてカーブ面Ｋを形成している。
このカーブ面Ｋは、最上畝部１には形成しない場合もある。
すなわち、少なくとも第２番目の畝部２から下方の畝部の表面がカーブ面Ｋを形成しているものである。
【００２４】
すなわち後述する断面図で分かるように、接線方向で見て窪むような弧状になっている。
最上畝部１（第１番目の畝部）は、椀Ａの一番上の口部に相当する位置にあるもので、強度の観点から最も厚みがあることが好ましい。
最上畝部１と第２番目の畝部２との境界には段差（落差）ｄが形成されており、第２番目の畝部２と第３番目の畝部３との境界には段差がなく連続している。
各畝部の各々傾斜が異なるため、例えば、第２番目の畝部２と第３番目の畝部３との境界には突起した境界線Ｌが形成される。
【００２５】
すなわち第２番目から下方の畝部同士の境界は突起した境界線Ｌが形成されており、この線状の境界を起点に上下で畝部の角度が異なることとなる。
そのため、後述するように、椀を重ねた際、一方の椀の内周壁面と他方の椀の外周壁面とは、水で濡れていても吸着しにくい。
また、上方の椀が傾こうとしても、この突起した境界線Ｌが支障となって傾きにくい。
な椀Ａの底には、リング状に突起した底突出部４が形成されている。
【００２６】
図６は、同じ大きさで同じ形状の２つの椀Ａ、Ａを重ね合わせた状態を示す断面図である。
今、このような２つの椀Ａを重ね合わせたとすると、上方にある椀Ａにおいて最上畝部１と第２番目の畝部２との境界にある段差ｄに、下方にある椀Ａの最上畝部１が当接する。
すなわち、下方の椀Ａの上端部に対して上方の椀Ａがこの段差ｄのところで支持された状態となる。
この場合、下方の椀Ａの最上畝部１の内周壁面と上方の椀Ａの第２番目の畝部２の外周壁面との間に一定の間隙ｇが生じる。
畝部の表面（外周壁面）が内側にカーブしてカーブ面Ｋを形成していることにより更に間隙が確保されることとなる。
そのため、下方の椀Ａの最上畝部１と上方の椀Ａの第２番目の畝部２とは殆ど接触することはなく、椀Ａが水で濡れていたとしても、両者が相互に吸着し合うことがない。
【００２７】
因みに、従来では、洗って濡れた状態の椀Ａを重ね合わせた場合、水が付着しているので、上方の椀Ａの外周壁面と下方の椀Ａの内周壁面とが接触して水を介して吸着状態になり、両者を分離する場合に支障となる。
本考案の椀Ａでは、上述のように両者間に一定の間隙ｇが積極的に形成されるので、水を介して吸着力が生じることはないのである。
【００２８】
一方、本考案の椀Ａは、同じ物同士を二つ重ね合わせても、上方の椀Ａの底突出部４と下方の椀Ａの内周壁部の底との間に一定の空間Ｓが確保されるようになっている。
したがって上方の椀Ａのリング状の底突出部４と下方の椀Ａの内周壁面の底とが接触することがなく、底突出部Ｓの汚れが内周壁面の底に付着するようなことはない。
【００２９】
図７は、同じ大きさで同じ形状の３つの椀Ａ、椀Ａ、椀Ａを重ね合わせた状態を示す断面図である。
このように、本考案の椀Ａは多数積み重ねることができる上、取り外す時、椀同士が吸着することはなく、また椀Ａが傾斜することもない。
【００３０】
ところで、上述したように、第２番目の畝部２と第３番目の畝部３とは連続しており、更に第３番目の畝部３と第４番目の畝部も連続して形成されており、それぞれの境界は突起した境界線Ｌが形成されている。
以下、下の畝部同士も同様な関係となっている。
【００３１】
また上述したように、畝部においては、上下に隣接している両畝部の傾斜が異なるため、両者の境界には明確な境界線Ｌが形成される。
そのため、食事の際、椀Ａを手で持ち上げた場合、指（例えば、人指し指、中指）が、この畝部間の境界線Ｌに引っ掛かることから、把持力が確実となり、椀Ａを滑り落とすようなことはないのである。
更に、畝部の外周壁面が内側にカーブしてカーブ面Ｋを形成していることにより、椀Ａを持った場合に、指の腹（すなわち指の内側表面）のカーブと馴染みやすく滑り落ち防止効果がより確実となる。
【００３２】
ところで、本考案の利点は、大きさの異なったものを安定し状態で積み重ねるように対応できる点もその一つである。
【００３３】
図８は、大きさの異なった椀Ａ、Ｂを重ね合わせた状態を示す断面図である。
図は、上方にある椀Ａが大きく、下方にある椀Ｂがそれよりも小さい例を示す。
今、小さい椀Ｂの上方に大きい椀Ａを重ねた場合、該大きい椀Ａの外周壁面に形成されている突起した境界線Ｌ（稜線）が下方の椀Ｂの内周壁面に接触したとしても、境界線Ｌの両側は畝部の傾斜によって空間が生じる。
そのため上方の椀Ａの外周壁面と下方の椀Ｂの内周壁面とが水を介して吸着するようなことはない。
また、上方の椀Ａが傾こうとしても境界線Ｌが支障となって傾きにくい。
【００３４】
また図９は、大きさの異なった椀Ａ、Ｃを重ね合わせた状態を示す断面図であるが、図８の場合よりも下方の椀Ｃが更に小さい場合を示す。
この場合、下方の椀Ｃの上端部が上方の椀Ａ外周壁面の畝部のカーブ面Ｋに当接している。
この状態で上方の椀Ａは支持されるが、傾こうとしても、畝部が内側にカーブしているので傾きにくい利点がある。
椀が水で濡れていても、図で分かるように間隙ｇが生じて椀が互いに吸着するようなことはない。
【００３５】
以上、本考案を説明したが、本考案の上述の実施の形態に必ずしも限定されるものではない。
上述した実施の形態では、畝部が４段の場合で示したが、２段、３段でも、或いは５段以上でも採用可能である。また畝部の表面のカーブの度合いは適宜変更可能である。
また最上畝部１の外周壁面を内側にカーブしてカーブ面Ｋとすることも当然採用可能である。
また各畝部の表面を平面に形成することも可能である。
【００３６】
本考案の椀本体の材質としては、ポリアミド樹脂、ポリエステル樹脂、ＡＢＳ樹脂等のプラスチック材が採用されるが、例えば飽和ポリエステル樹脂とすることで、電子レンジに対応使用でき、耐熱温度（１４０℃程度）まで対応可能である。
本考案の椀は特殊な形状であり加熱しても変形が少ない。
また、木材とすることも可能である。
プラスチック材の場合は、射出成形により容易に製造されるが、木材の場合は、切削加工により製造される。
【産業上の利用可能性】
【００３７】
本考案の椀Ａは、積み重ね状態が安定し、且積み上げた状態でも吸着しないので、お盆や、皿、湯飲み等の通常使用されている食器全般に適用可能である。
また、強いては上部が開口されている容器であれば、適用可能である。
【符号の説明】
【００３８】
Ａ…椀（大）
Ｂ…椀（中）
Ｃ…椀（小）
ｄ…段差 
ｇ…間隙
Ｋ…カーブ面 
Ｌ…境界線 
Ｓ…空間 
１…畝部（最上畝部１） 
２…第２番目の畝部 
３…第３番目の畝部
４…底突出部
【図１】
0003185011.tif 000003
【図２】
0003185011.tif 000004
【図３】
0003185011.tif 000005
【図４】
0003185011.tif 000006
【図５】
0003185011.tif 000007
【図６】
0003185011.tif 000008
【図７】
0003185011.tif 000009
【図８】
0003185011.tif 000010
【図９】
0003185011.tif 000011